(57)【要約】【課題】バウンス撮影できかつ取り扱い性が高い撮像装置を提供すること。【解決手段】デジタルカメラ１は、ボディ部１０と、ボディ部１０に回転可能に設けられたレンズ部２０と、ボディ部１０に回転可能に設けられた発光部３０と、を備える。レンズ部２０の回転軸と発光部３０の回転軸とは、略平行であり、レンズ部２０の光軸は、このレンズ部の回転軸に交差し、発光部３０の光照射方向は、この発光部の回転軸に交差する。デジタルカメラ１は、レンズ部２０および発光部３０のうち一方が回転すると、この回転に伴って他方が回転する同期回転と、レンズ部２０および発光部３０のうち一方が回転しても、他方は回転しない非同期回転と、を選択的に実行可能である。【選択図】図１
2010078770.tif 000002
【特許請求の範囲】
【請求項１】
ボディ部と、
前記ボディ部に回転可能に設けられたレンズ部と、
前記ボディ部に回転可能に設けられたフラッシュ部と、
を備え、
前記レンズ部の回転軸と前記発光部の回転軸とは、略平行であり、
前記レンズ部の光軸は、当該レンズ部の回転軸に交差し、
前記発光部の照射方向は、当該発光部の回転軸に交差し、
前記レンズ部および前記発光部のうち一方が回転すると、この回転に伴って他方が回転する同期回転と、前記レンズ部および前記発光部のうち一方が回転しても、他方は回転しない非同期回転と、を選択的に実行可能であることを特徴とする撮像装置。
【請求項２】
前記レンズ部および前記発光部は、同軸上に配置されて、一対の当接面で互いに当接し、
前記一対の当接面のうちの一方には、突没可能な突起部、および、当該突起部を突出方向に向かって付勢する付勢部が設けられ、
前記一対の当接面のうちの他方には、前記突起部が嵌合可能な凹部が形成されることを特徴とする請求項１に記載の撮像装置。
【請求項３】
前記凹部は、複数形成されることを特徴とする請求項２に記載の撮像装置。
【請求項４】
前記発光部は、略円筒形状のカバー部と、このカバー部の内部に収容されて回転可能な略円筒形状のフィルタ部と、このフィルタ部の内部に収容された発光体と、を備え、
前記フィルタ部には、形状の異なる複数の開口が形成されていることを特徴とする請求項１から３のいずれかに記載の撮像装置。
【発明の詳細な説明】
【技術分野】
【０００１】
本発明は、撮像装置に関する。詳しくは、静止画像または動画像を撮影する撮像装置に関する。
【背景技術】
【０００２】
従来より、被写体を撮影するデジタルカメラ、デジタルビデオカメラ、携帯電話機のカメラ等の撮像装置が知られている。このような撮像装置では、フラッシュ撮影を行うため、フラッシュ装置を撮像装置に外付けしたり、フラッシュ装置を撮像装置に内蔵したりしている。
例えば、フラッシュ装置を撮像装置に外付けする場合、ヘッドの角度を変更することで照射角度を変更可能なクリップオンタイプのフラッシュ装置が用いられる（非特許文献１）。
また、フラッシュ装置を撮像装置に内蔵する場合、撮像装置を、本体と、この本体に対して回転可能なレンズ部と、で構成し、フラッシュ装置をレンズ部に一体に設ける。この撮像装置によれば、レンズ部の向きを回転させると、フラッシュ装置の照射方向も変更される（非特許文献２）。
【０００３】
【非特許文献１】http://panasonic.co.jp/lamp/ppl/strobe/pe-20s.html
【非特許文献２】http://www.sony.jp/products/Consumer/DSC/DSC-U/
【発明の開示】
【発明が解決しようとする課題】
【０００４】
ところで、フラッシュ光を、被写体の正面ではなく、照射光を天井や反射板に反射させて、被写体の周囲から回り込ませて撮影するバウンス撮影が知られている。
上記非特許文献１に示す外付けのフラッシュ装置では、照射角度をレンズの光軸と異ならせることが可能なため、バウンス撮影できるが、レンズ部を回転させることができないため、自分撮影が難しいという問題がある。また、外付けフラッシュ装置は装置自体が大掛かりになるため、取り扱い性が低下するという問題がある。
【０００５】
また、上記非特許文献２に示す回転レンズ式カメラでは、取り扱い性は高いが、レンズ部にフラッシュ装置が一体化しているため、バウンス撮影できない。
【０００６】
本発明は、このような点に鑑みてなされたものであり、バウンス撮影できかつ取り扱い性が高い撮像装置を提供することを目的とする。
【課題を解決するための手段】
【０００７】
請求項１に記載の発明に係る撮像装置は、ボディ部と、前記ボディ部に回転可能に設けられたレンズ部と、前記ボディ部に回転可能に設けられた発光部と、を備え、前記レンズ部の回転軸と前記発光部の回転軸とは、略平行であり、前記レンズ部の光軸は、当該レンズ部の回転軸に交差し、前記発光部の照射方向は、当該発光部の回転軸に交差し、前記レンズ部および前記発光部のうち一方が回転すると、この回転に伴って他方が回転する同期回転と、前記レンズ部および前記発光部のうち一方が回転しても、他方は回転しない非同期回転と、を選択的に実行可能であることを特徴とする。
【０００８】
請求項２に記載の発明に係る撮像装置は、前記レンズ部および前記発光部は、同軸上に配置されて、一対の当接面で互いに当接し、前記一対の当接面のうちの一方には、突没可能な突起部、および、当該突起部を突出方向に向かって付勢する付勢部が設けられ、前記一対の当接面のうちの他方には、前記突起部が嵌合可能な凹部が形成されることを特徴とする。
【０００９】
請求項３に記載の発明に係る撮像装置は、前記凹部は、複数形成されることを特徴とする。
【００１０】
請求項４に記載の発明に係る撮像装置は、前記発光部は、略円筒形状のカバー部と、このカバー部の内部に収容されて回転可能な略円筒形状のフィルタ部と、このフィルタ部の内部に収容された発光体と、を備えることを特徴とする。
【００１１】
請求項５に記載の発明に係る撮像装置は、前記フィルタ部には、形状の異なる複数の開口が形成されていることを特徴とする。
【発明の効果】
【００１２】
本発明によれば、レンズ部と発光部とを同期して回転させたり、非同期で別々に回転させたりすることができる。よって、バウンス撮影できるうえに、取り扱い性が高くなる。
【発明を実施するための最良の形態】
【００１３】
以下、本発明の実施形態を図面に基づいて説明する。なお、以下の実施形態の説明にあたって、同一構成要件については同一符号を付し、その説明を省略もしくは簡略化する。
〔第１実施形態〕
図１は、本発明の第１実施形態に係る撮像装置としてのデジタルカメラ１の外観を示す斜視図であり、（ａ）は正面側からの斜視図、（ｂ）は背面側からの斜視図である。
【００１４】
デジタルカメラ１は、静止画像または動画像を撮影する装置であり、正面視あるいは背面視で略矩形状である。このデジタルカメラ１は、２つの凹部１３Ａ、１３Ｂが形成されたボディ部１０と、ボディ部１０の凹部１３Ａに回転可能に設けられたレンズ部２０と、ボディ部１０の凹部１３Ｂに回転可能に設けられた発光部３０と、を備える。
【００１５】
ボディ部１０は、略直方体状の第１ボディ部１１と、この第１ボディ部１１に形成された略筒状の第２ボディ部１２と、を備える。
【００１６】
第１ボディ部１１の背面側には、略矩形状の表示部１４が設けられている。また、図示しないが、第１ボディ部１１には、モード切替キー及びＭＥＮＵキーとしての操作キー、シャッタキー等が設けられている。
【００１７】
第２ボディ部１２は、ボディ部１０の上面に形成されて、第１ボディ部１１の幅方向つまり図１中左右方向に沿って延びている。この第２ボディ部１２の内周面には、円周方向に延びる環状の溝部１２１が形成されている（図２参照）。
この第２ボディ部１２の長さは、第１ボディ部１１の幅方向よりも短くなっており、これにより、第２ボディ部１２の両端側とボディ部１０の上面とで囲まれた部分には、凹部１３Ａ、１３Ｂが形成されている。
【００１８】
図２は、図１のＡ−Ａ断面図である。図３は、デジタルカメラ１の分解斜視図であり、（ａ）は正面側からの分解斜視図、（ｂ）は背面側からの分解斜視図である。
【００１９】
レンズ部２０は、第１ボディ部１１の幅方向に沿って延びる円柱形状である。このレンズ部２０の基端側は、第２ボディ部１２の一端側に、中心軸を回転軸として回転可能に収容されている。
具体的には、レンズ部２０は、第２ボディ部１２から露出するレンズ部本体２１と、このレンズ部本体２１に設けられて第２ボディ部１２の内部に収容される軸部２２と、を備える。
【００２０】
レンズ部本体２１の外周面には、回転軸に交差する方向に光軸が延びるレンズ２１１が設けられている。
軸部２２の基端側には、鍔状に拡がる鍔部２２１が形成されており、この鍔部２２１が第２ボディ部１２の溝部１２１に嵌合することにより、レンズ部２０は、第２ボディ部１２に回転可能に保持される。
また、鍔部２２１の基端面は円形状の当接面２２２であり、この当接面２２２には、凹部２２３が形成されている。この凹部２２３には、突没可能な突起部２２４、および、この突起部２２４を突出方向に向かって付勢する付勢部としてのばね２２５が収容されている。
【００２１】
発光部３０は、第１ボディ部１１の幅方向に沿って延びる円柱形状である。この発光部３０の基端側は、第２ボディ部１２の他端側に、中心軸を回転軸として回転可能に収容されている。
具体的には、発光部３０は、第２ボディ部１２から露出する発光部本体３１と、この発光部本体３１に設けられて第２ボディ部１２の内部に収容される軸部３２と、を備える。
【００２２】
発光部本体３１には、図示しない発光体が内蔵されており、この発光部本体３１の外周面には、回転軸に交差する方向に光を照射する出光面３１１が設けられている。なお、前記発光体は、キセノンランプのように瞬間的に光を出力するもの（フラッシュ光を出力するもの）でもよいし、また、ＬＥＤライトのように連続的に光を出力するものでもよい。
軸部３２の基端側には、鍔状に拡がる鍔部３２１が形成されており、この鍔部３２１が第２ボディ部１２の溝部１２１に嵌合することにより、発光部３０は、第２ボディ部１２に回転可能に保持される。
また、鍔部３２１の基端面は円形状の当接面３２２となっている。この当接面３２２には、レンズ部２０の突起部２２４が嵌合可能な８個の凹部３２３が形成されている。これら凹部３２３は、当接面３２２の中心を囲んで環状に等間隔おきつまり４５度おきに形成されている。
【００２３】
レンズ部２０および発光部３０が第２ボディ部１２に収容されて、鍔部２２１および鍔部３２１が溝部１２１に嵌合することにより、レンズ部２０および発光部３０は、同軸上に配置されて、一つの回転軸Ｘを中心として回転可能となっている。
さらに、この状態では、レンズ部２０の当接面２２２と、発光部３０の当接面３２２とは、互いに当接しており、回転軸Ｘは、当接面２２２および当接面３２２の中心を通ることになる。
【００２４】
レンズ部２０および発光部３０の動作について説明する。
図４（ａ）に示すように、レンズ部２０の突起部２２４が発光部３０の凹部３２３に嵌合した状態では、レンズ部２０および発光部３０のうちの一方を回転させると、他方が追従して回転する。
【００２５】
一方、突起部２２４が凹部３２３に嵌合した状態で、レンズ部２０および発光部３０のうちの一方、ここではレンズ部２０を保持しつつ、他方の発光部３０を回転させると、当接面３２２の凹部３２３の周縁部分により突起部２２４が押圧されて、この突起部２２４がばね２２５に抗して後退し、図４（ｂ）に示すように、突起部２２４と凹部３２３との嵌合が解除されて、突起部２２４の先端は当接面２２２と面一となる。これにより、レンズ部２０および発光部３０のうちの他方を回転させることなく、一方のみを自在に回転させることができる。
【００２６】
以上のデジタルカメラ１は、以下のように動作する。
図５（ａ）に示すように、まず、レンズ部２０のレンズ２１１の光軸と、発光部３０の出光面３１１の向き（光の照射方向）とは、略平行であり、正面側を向いた状態とする。この状態では、レンズ部２０の突起部２２４が発光部３０の凹部３２３に嵌合しているものとする。
この状態から、レンズ部２０および発光部３０のうちの一方を手で摘んで回転させると、図５（ｂ）に示すように、他方が追従して回転する。つまり、レンズ部２０と発光部３０とを同期して回転させることができる。その結果、図５（ｃ）に示すように、レンズ部２０のレンズ２１１の光軸と、発光部３０の出光面３１１の向きとは、略平行である状態を維持しつつ、背面側を向くことになる。
【００２７】
一方、図６（ａ）に示すように、まず、レンズ部２０のレンズ２１１の光軸と、発光部３０の出光面３１１とは、略平行であり、正面側を向いた状態とする。この状態では、レンズ部２０の突起部２２４が発光部３０の凹部３２３に嵌合しているものとする。
この状態から、レンズ部２０を手で押えて、発光部３０を手で摘んで回転させると、突起部２２４と凹部３２３との嵌合が解除されて、図６（ｂ）に示すように、レンズ部２０が回転することなく、発光部３０のみが回転する。つまり、レンズ部２０と発光部３０とを非同期で別々に回転させることができる。
【００２８】
本実施形態によれば、以下のような効果がある。
（１）デジタルカメラ１を、レンズ部２０および発光部３０のうちの一方の回転に伴って他方が回転する同期回転と、レンズ部３０および発光部３０のうち一方のみが回転する非同期回転と、を選択的に実行する構成とした。
よって、レンズ部２０と発光部３０とを同期回転させることで、レンズ２１１の光軸および出光面３１１をボディ部１０に対して任意の角度に傾斜させたアングル撮影や、レンズ２１１の光軸および出光面３１１をユーザに向けた自分撮影を実行できる。
また、レンズ部２０と発光部３０とを非同期回転させることで、レンズ２１１を被写体に向けつつ、出光面３１１をレフ板や天井などに向けて、バウンス撮影のような凝った撮影を実行できる。
【００２９】
（２）レンズ部２０の当接面２２２に突起部２２４およびばね２２５を設け、発光部３０の当接面３２２に突起部２２４が嵌合可能な凹部３２３を設けた、よって、レンズ部２０の突起部２２４を発光部３０の凹部３２３に嵌合させることにより、レンズ部２０および発光部３０のうちの一方を手で摘んで回転させるだけで、レンズ部２０と発光部３０とを同期回転させることができる。
また、レンズ部２０の突起部２２４と発光部３０の凹部３２３との嵌合を解除することにより、レンズ部２０および発光部３０のうちの一方を手で押えて他方を手で摘んで回転させるだけで、レンズ部２０と発光部３０とを非同期回転させることができる。
よって、ユーザは直感的かつ簡単にレンズ部２０および発光部３０を操作でき、デジタルカメラ１の取り扱い性が高くなる。
【００３０】
（３）８個の凹部３２３を等間隔で形成したので、これら８個の凹部３２３の中から適宜選択し、この選択した凹部３２３に突起部２２４を嵌合させるだけで、レンズ部２０のレンズ２１１の光軸と発光部３０の光照射方向との成す角度を４５度おきに容易に設定できる。
【００３１】
（４）ボディ部１０の凹部１３Ａ、１３Ｂにレンズ部２０および発光部３０を設けて、デジタルカメラ１を正面視あるいは背面視で略矩形状としたので、デジタルカメラ１をコンパクトな構成とすることができる。
【００３２】
〔第２実施形態〕
本実施形態では、発光部３０Ａの構成が、第１実施形態と異なり、他の構成は、第１実施形態と同様である。
図７は、本発明の第２実施形態に係る撮像装置としてのデジタルカメラ１Ａの外観を示す斜視図であり、（ａ）は正面側からの斜視図、（ｂ）は背面側からの斜視図である。図８は、図７のＢ−Ｂ断面図である。図９は、デジタルカメラ１Ａの分解斜視図であり、（ａ）は正面側からの分解斜視図、（ｂ）は背面側からの分解斜視図である。
【００３３】
発光部３０Ａの発光部本体３１Ａは、略円筒形状のカバー部３３と、このカバー部３３の内部に収容されて回転可能な略円筒形状のフィルタ部３４と、このフィルタ部３４の内部に収容された発光体３５と、を備える。
カバー部３３の外周面には、開口３３１が形成されている。
フィルタ部３４は、円筒形状のフィルタ部本体３４１と、このフィルタ部本体３４１の先端側を塞ぐ先端部３４２と、を備える。
フィルタ部３４の先端部３４２には、３つの凹部３４５が形成されている。
【００３４】
図１０は、フィルタ部３４を互いに異なる角度から視た斜視図である。
フィルタ部本体３４１の外周面には、形状の異なる第１開口３４１Ａ、第２開口３４１Ｂ、および第３開口３４１Ｃが、等間隔おきつまり１２０度おきに形成されている。
【００３５】
第１開口３４１Ａには、断面鋸刃形状のフレネルレンズ３４３が設けられている。
第２開口３４１Ｂには、乳白色の拡散シート３４４が設けられており、ソフトスクリーンとなっている。
第３開口３４１Ｃは、発光体３５の光の照射角を絞るスヌート形状である。
【００３６】
以上のフラッシュ部３０Ａは、以下のように動作する。
通常のフラッシュ撮影あるいは通常の照明撮影（発光体３５の光を被写体に連続的に当てながら行う撮影）を行う場合、図７に示すように、カバー部３３の開口３３１に第１開口３４１Ａを合わせて、撮影を行う。
【００３７】
また、照射光をディフューザ（拡散）させて撮影する場合、図７に示す状態から、フィルタ部３４の凹部３４５に指先を引っ掛けて、フィルタ部３４を回転させ、図１１（ａ）に示すように、カバー部３３の開口３３１に第２開口３４１Ｂを合わせて、撮影を行う。
さらに、スポットライト的な効果を利用して撮影する場合、再びフィルタ部３４を回転させ、図１１（ｂ）に示すように、カバー部３３の開口３３１に第３開口３４１Ｃを合わせて、撮影を行う。
【００３８】
本実施形態によれば、上述の（１）〜（４）の効果に加えて、以下のような効果がある。
（５）フィルタ部３４に３つの開口３４１Ａ〜３４１Ｃを設け、このフィルタ部３４を回転可能とした。よって、フィルタ部３４を回転させて所望の開口をカバー部３３の開口３３１に合わせるだけで、余分なアクセサリを装着することなく、所望のフラッシュ撮影や照明撮影を容易かつ迅速に行うことができる。
【００３９】
（６）フィルタ部３４の先端部３４２に３つの凹部３４５を設けたので、これら凹部３４５に指先を引っ掛けることで、フィルタ部３４を容易に回転させることができる。
【００４０】
なお、本発明は前記実施形態に限定されるものではなく、本発明の目的を達成できる範囲での変形、改良等は本発明に含まれるものである。
例えば、上述の各実施形態では、レンズ部２０に突起部２２４を設け、発光部３０に突起部２２４が嵌合可能な凹部３２３を設けたが、これに限らず、発光部に突起部を設け、レンズ部に突起部が嵌合可能な凹部を設けてもよい。
【００４１】
また、本実施形態では、フィルタ部３４の第２開口３４１Ｂをソフトスクリーンとし、第３開口３４１Ｃをスヌート形状としたが、これに限らず、これらの開口にカラーフィルタを設けてもよい。
【図面の簡単な説明】
【００４２】
【図１】本発明の第１実施形態に係る撮像装置としてのデジタルカメラの外観を示す斜視図である。
【図２】図１のＡ−Ａ断面図である。
【図３】前記実施形態に係るデジタルカメラの分解斜視図である。
【図４】前記実施形態に係るデジタルカメラのレンズ部および発光部の動作を説明するための断面図である。
【図５】前記実施形態に係るデジタルカメラのレンズ部および発光部を同期して回転させる場合の動作を説明するための斜視図である。
【図６】前記実施形態に係るデジタルカメラのレンズ部および発光部を非同期で別々に回転させる場合の動作を説明するための斜視図である。
【図７】本発明の第２実施形態に係る撮像装置としてのデジタルカメラの外観を示す斜視図である。
【図８】図７のＢ−Ｂ断面図である。
【図９】前記実施形態に係るデジタルカメラの分解斜視図である。
【図１０】前記実施形態に係るデジタルカメラのフィルタ部を互いに異なる角度から視た斜視図である。
【図１１】前記実施形態に係るデジタルカメラの発光部の動作を説明するための斜視図である。
【符号の説明】
【００４３】
１、１Ａ  デジタルカメラ（撮像装置）
１０      ボディ部
２０      レンズ部
３０、３０Ａ    発光部
３３      カバー部
３４      フィルタ部
３５      発光体
２２２    当接面
２２４    突起部
２２５    ばね（付勢部）
３２２    当接面
３２３    凹部
３４１Ａ  第１開口
３４１Ｂ  第２開口
３４１Ｃ  第３開口
Ｘ        回転軸
【図１】
2010078770.tif 000003
【図２】
2010078770.tif 000004
【図３】
2010078770.tif 000005
【図４】
2010078770.tif 000006
【図５】
2010078770.tif 000007
【図６】
2010078770.tif 000008
【図７】
2010078770.tif 000009
【図８】
2010078770.tif 000010
【図９】
2010078770.tif 000011
【図１０】
2010078770.tif 000012
【図１１】
2010078770.tif 000013